(57)【要約】【課題】  スライドレールアセンブリのために使用されるケーブル管理センブリを提供すること。【解決手段】  第一スライドレールアセンブリ及び第二スライドレールアセンブリに適するケーブル管理アセンブリである。スライドレールアセンブリのそれぞれは、第一レールと第一レールに対して可動な第二レールとを含む。ケーブル管理アセンブリはケーブル管理装置及び少なくとも１つの支持部材を含む。ケーブル管理装置は第一アーム部と第二アーム部とを備える。第一アーム部は第一スライドレールアセンブリの第一レールに接続される。第二アーム部は第一アーム部に枢結され、第一スライドレールアセンブリの第二レールに接続される。少なくとも１つの支持部材は第一端部と第二端部とを含む。第一端部は第二スライドレールアセンブリの第一レールに対して枢結される。第二端部は第一スライドレールアセンブリの第一レールに脱着可能に接続される。【選択図】  図１
2020081839.tif 000002
【特許請求の範囲】
【請求項１】
第一スライドレールアセンブリ及び第二スライドレールアセンブリに適するケーブル管理アセンブリであって、前記第一及び第二スライドレールアセンブリのそれぞれは第一レールと前記第一レールに対して可動な第二レールとを含み、
前記ケーブル管理アセンブリは第一ケーブル管理装置及び少なくとも１つの支持部材を含み、
前記第一ケーブル管理装置は、前記第一スライドレールアセンブリの第一レールに接続されるための第一アーム部と、
前記第一アーム部に枢結され、前記第一スライドレールアセンブリの第二レールに接続されるための第二アーム部と
を備え、
前記少なくとも１つの支持部材は第一端部と第二端部とを含み、前記第一端部は前記第二スライドレールアセンブリの第一レールに対して枢結され、前記第二端部は、前記第一スライドレールアセンブリの第一レールに脱着可能に接続されることを特徴とするケーブル管理アセンブリ。
【請求項２】
前記第一アーム部と前記第二アーム部のうちの一方に配置された第一ブロック要素と、
前記第一スライドレールアセンブリの第二レールが前記第一レールに対して格納位置にあるとき、前記第一アーム部と前記第二アーム部とは互いに接近した状態であり、前記第一ブロック要素をブロックした前記少なくとも１つの支持部材であって、
前記第一アーム部と前記第二アーム部とが互いに接近した状態であるときに、前記少なくとも１つの支持部材は前記第一ケーブル管理装置を支持し、前記第一アーム部は前記第一スライドレールアセンブリの第一レールに対して枢動可能であり、前記第二アーム部は前記第一スライドレールアセンブリの第二レールに対して枢動可能であり、
前記少なくとも１つの支持部材の第二端部が前記第一スライドレールアセンブリの第一レールから取り外されると、前記少なくとも１つの支持部材は前記第一端部を介して枢動可能であり、前記少なくとも１つの支持部材は前記第一ブロック要素をブロックしなくなる、請求項１に記載のケーブル管理アセンブリ。
【請求項３】
前記ケーブル管理アセンブリは、第二ケーブル管理装置をさらに備え、
前記第二ケーブル管理装置は第三アーム部及び第四アーム部を含み、
前記第三アーム部は前記第二スライドレールアセンブリの第一レールに対して枢動可能であり、
前記第四アーム部は前記第二スライドレールアセンブリの第二レールに対して枢動可能であり、
前記第三アーム部と前記第四アーム部のうちの一方には、第二ブロック要素が配置されており、
前記第二スライドレールアセンブリの第二レールが前記第一レールに対して格納位置にあるとき、前記第三アーム部と前記第四アーム部とは互いに接近した状態であり、前記少なくとも１つの支持部材は前記第二ブロック要素をブロックし、
前記第一スライドレールアセンブリの第二レール及び前記第二スライドレールアセンブリの第二レールはそれぞれ第一補助部材及び第二補助部材に接続され、
前記第一補助部材及び前記第二補助部材は、それぞれ前記第一スライドレールアセンブリの第一レール及び前記第二スライドレールアセンブリの第一レールより高く配置され、
前記第一ケーブル管理装置の第二アーム部は第一シャフト部材を介して前記第一ケーブル管理装置の第一アーム部に対して枢結され、
前記第一ケーブル管理装置の第二アーム部は前記第一補助部材に接続され、
前記第二ケーブル管理装置の第四アーム部は第二シャフト部材を介して第二ケーブル管理装置の第三アーム部に対して枢結され、
前記第二ケーブル管理装置の第四アーム部は前記第二補助部材に接続される、請求項２に記載のケーブル管理アセンブリ。
【請求項４】
前記第一ケーブル管理装置の第一アーム部と前記第二アーム部のうちの一方に配置されたケーブル管理要素と、
前記第二ケーブル管理装置の第一アーム部と前記第二アーム部のうちの一方に配置されたケーブル管理要素と、
を含む、請求項３に記載のケーブル管理アセンブリ。
【請求項５】
前記第一スライドレールアセンブリの第一レールには第一取り付け部材が配置されており、前記少なくとも１つの支持部材の第二端部は第二取り付け部材を介して前記第一取り付け部材に脱着可能に取り付けられ、前記少なくとも１つの支持部材は、第一支持部材と、前記第一支持部材に伸縮自在に接続された第二支持部材とを含み、前記第一支持部材は第一端部を有し、前記第二支持部材は第二端部を有する、請求項１に記載のケーブル管理アセンブリ。
【請求項６】
第一スライドレールアセンブリ及び第二スライドレールアセンブリに適するケーブル管理アセンブリであって、前記第一及び第二スライドレールアセンブリのそれぞれは、第一レールと前記第一レールに対して可動な第二レールとを含み、
前記ケーブル管理アセンブリは第一ケーブル管理装置と、第二ケーブル管理装置と、少なくとも１つの支持部材とを含み、
前記第一ケーブル管理装置は、前記第一スライドレールアセンブリの第一レール及び第二レールそれぞれに対して枢動可能な２つのアーム部を備え、
前記第二ケーブル管理装置は、前記第二スライドレールアセンブリの第一レール及び第二レールそれぞれに対して枢動可能な２つのアーム部を備え、
前記少なくとも１つの支持部材は第一端部と第二端部とを含み、前記第一端部は前記第二スライドレールアセンブリの第一レールに対して枢結され、前記第二端部は、前記第一スライドレールアセンブリの第一レールに脱着可能に接続され、
前記少なくとも１つの支持部材の第二端部が前記第一スライドレールアセンブリの第一レールに接続されると、前記少なくとも１つの支持部材は前記第一ケーブル管理装置及び前記第二ケーブル管理装置をブロックするために使用され、前記第一ケーブル管理装置及び前記第二ケーブル管理装置は、前記第一スライドレールアセンブリ及び前記第二スライドレールアセンブリの後方空間を閉め、
前記少なくとも１つの支持部材の第二端部が前記第一スライドレールアセンブリの第一レールから取り外されると、前記少なくとも１つの支持部材が前記第一端部を介して枢動して一つの角度で旋回し、前記少なくとも１つの支持部材が前記第一ケーブル管理装置及び前記第二ケーブル管理装置をブロックしなくなり、前記第一ケーブル管理装置及び前記第二ケーブル管理装置が枢動して前記第一スライドレールアセンブリ及び前記第二スライドレールアセンブリの後方空間を開くことができることを特徴とするケーブル管理アセンブリ。
【請求項７】
前記第一ケーブル管理装置及び前記第二ケーブル管理装置にはそれぞれブロック要素が配置され、前記少なくとも１つの支持部材は前記ブロック要素を介して前記第一ケーブル管理装置及び前記第二ケーブル管理装置をブロックすることができ、前記少なくとも１つの支持部材は、前記第一ケーブル管理装置及び前記第二ケーブル管理装置の底部を支持し、前記第一スライドレールアセンブリの第一レールには第一取り付け部材が配置されており、前記少なくとも１つの支持部材の第二端部は第二取り付け部材を介して前記第一取り付け部材に取り付けられる、請求項６に記載のケーブル管理アセンブリ。
【請求項８】
前記第一ケーブル管理装置の２本のアーム部は互いに枢結されており、前記第二ケーブル管理装置の２本のアーム部は互いに枢結されており、前記第一ケーブル管理装置の２本のアーム部には、少なくとも１つのケーブル管理要素が配置されており、前記第二ケーブル管理装置の２本のアーム部には、少なくとも１つのケーブル管理要素が配置されている、請求項６に記載のケーブル管理アセンブリ。
【請求項９】
第一スライドレールアセンブリ及び第二スライドレールアセンブリに適するケーブル管理アセンブリであって、前記第一及び第二スライドレールアセンブリのそれぞれは、第一レールと前記第一レールに対して可動な第二レールとを含み、前記第二レールは搭載物を搭載し、前記搭載物は物品を収容するための空間を有し、
前記ケーブル管理アセンブリは第一ケーブル管理装置及び少なくとも１つの支持部材を含み、
前記第一ケーブル管理装置は、前記第一スライドレールアセンブリの第一レールに対して枢結される第一アーム部と、前記第一スライドレールアセンブリの第二レールに対して枢結される第二アーム部とを備え、
前記少なくとも１つの支持部材は第一端部と第二端部とを含み、前記第一端部は前記第二スライドレールアセンブリの第一レールに対して枢結され、前記第二端部は前記第一スライドレールアセンブリの第一レールに脱着可能に接続され、
前記少なくとも１つの支持部材の第二端部が前記第一スライドレールアセンブリの第一レールに接続されると、前記少なくとも１つの支持部材は、前記物品が前記搭載物に対して前記第一及び第二スライドレールアセンブリの後部から取り外されることを防ぐために、前記第一ケーブル管理装置をブロックし、
前記少なくとも１つの支持部材の第二端部が前記第一スライドレールアセンブリの第一レールから取り外されると、前記少なくとも１つの支持部材は前記第一端部を介して枢動して一つの角度で旋回し、前記少なくとも１つの支持部材が前記第一ケーブル管理装置をブロックしなくなり、前記物品が前記搭載物に対して前記第一及び第二スライドレールアセンブリの後部から取り外されることができることを特徴とするケーブル管理アセンブリ。
【請求項１０】
前記第一アーム部と前記第二アーム部のうちの一方には、ブロック要素が配置されており、前記第二レールが前記第一レールに対して格納位置にあるとき、前記第一アーム部と前記第二アーム部とは互いに接近した状態であり、前記少なくとも１つの支持部材は前記ブロック要素をブロックし、前記第一アーム部と前記第二アーム部とが互いに接近した状態であるときに、前記少なくとも１つの支持部材が前記第一ケーブル管理装置を支持し、前記第一スライドレールアセンブリの第一レールには第一取り付け部材が配置されており、前記少なくとも１つの支持部材の第二端部は第二取り付け部材を介して前記第一取り付け部材に脱着可能に取り付けられる、請求項９に記載のケーブル管理アセンブリ。
【発明の詳細な説明】
【技術分野】
【０００１】
本発明はケーブル管理アセンブリに関し、特にはケーブルを整理するためのケーブル管理アセンブリに関する。
【背景技術】
【０００２】
ラックシステムでは、スライドレールアセンブリは通常、第一レールと第二レールとを含む。第一レールはラックのポストに取り付けられており、第二レールは第一レールに対して可動であって、電子装置を搭載するために使用されている。電子装置は通常、後部にケーブルを備えているので、そのケーブルを整理するにはケーブル管理アセンブリが使用されている。
【０００３】
特許文献１に開示されたリバーシブルケーブル支持アームでは、ケーブル支持アーム（２４）が第一アーム部（４０）と第一アーム部（４０）に回転可能に連結された第二アーム部（４２）とを備える。特許文献１の図９に示されているように、電子装置（１２）がスライドレール（１０８）を通って格納位置にあるとき、ケーブル支持アーム（４２）の第一アーム部（４０）と第二アーム部は互いに接近して折り畳む状態になる。また、特許文献１の図１０に示されているように、電子装置（１２）がスライドレール（１０８）を通って伸長位置にあるとき、ケーブル支持アーム（２４）の第一アーム部（４０）及び第二アーム部（４２）は互い伸びた状態である。
【先行技術文献】
【特許文献】
【０００４】
【特許文献１】米国特許第７４７３８４６号明細書
【特許文献２】米国特許第７５５４８１９号明細書
【特許文献３】米国特許第８３８７９３３号明細書
【特許文献４】米国特許第８８１６１９９号明細書
【特許文献５】米国特許第９１４４１７４号明細書
【特許文献６】米国特許第９２８１６７６号明細書
【発明の概要】
【発明が解決しようとする課題】
【０００５】
しかしながら、市場における需要が異なるため、時にはケーブル支持アームだけでは電子装置（１２）のケーブルを効果的に支持することができない場合がある。さらに、ケーブル支持アームの組み立て又は分解に不便がある場合、電子装置（１２）のサブモジュールの取り外すことまたは交換することは手間が掛かる。したがって、信頼性が高く、且つ組み立及び分解の利便性を向上するケーブル管理製品を開発することが重要である。
【課題を解決するための手段】
【０００６】
本発明はスライドレールアセンブリのために使用されるケーブル管理装置に関する。
【０００７】
本発明の一実施形態によれば、第一スライドレールアセンブリ及び第二スライドレールアセンブリに適するケーブル管理アセンブリである。スライドレールアセンブリのそれぞれは、第一レールと第一レールに対して可動な第二レールとを含む。ケーブル管理アセンブリは第一ケーブル管理装置及び少なくとも１つの支持部材を含む。第一ケーブル管理装置は第一アーム部と第二アーム部とを備える。第一アーム部は第一スライドレールアセンブリの第一レールに接続される。第二アーム部は第一アーム部に枢結され、第一スライドレールアセンブリの第二レールに接続される。少なくとも１つの支持部材は第一端部と第二端部とを含む。第一端部は第二スライドレールアセンブリの第一レールに対して枢結される。第二端部は第一スライドレールアセンブリの第一レールに脱着可能に接続される。
【０００８】
第一アーム部と第二アーム部のうちの一方には、第一ブロック要素が配置されている。第一レールアセンブリの第二レールが第一レールに対して格納位置にあるとき、第一アーム部と第二アーム部とは互いに接近した状態であり、少なくとも１つの支持部材は第一ブロック要素をブロックする。
【０００９】
第一アーム部と第二アーム部とが互いに接近した状態であるときに、少なくとも１つの支持部材は第一ケーブル管理装置を支持する。
【００１０】
第一アーム部は第一スライドレールアセンブリの第一レールに対して枢動可能であり、第二アーム部は第一スライドレールアセンブリの第二レールに対して枢動可能である。少なくとも１つの支持部材の第二端部が第一スライドレールアセンブリの第一レールから取り外されると、少なくとも１つの支持部材は第一端部を介して枢動可能であり、少なくとも１つの支持部材は第一ブロック要素をブロックしなくなる。
【００１１】
ケーブル管理アセンブリは第二ケーブル管理装置をさらに備える。第二ケーブル管理装置の第三アーム部は第二スライドレールアセンブリの第一レールに対して枢動可能である。第二ケーブル管理装置の第四アーム部は第二スライドレールアセンブリの第二レールに対して枢動可能である。第二ケーブル管理装置の第三アーム部と第四アーム部のうちの一方には、第二ブロック要素が配置されている。第二レールアセンブリの第二レールが第一レールに対して格納位置にあるとき、第二ケーブル管理装置の第三アーム部と第四アーム部とは互いに接近した状態であり、少なくとも１つの支持部材は第二ブロック要素をブロックする。
【００１２】
第一スライドレールアセンブリの第二レール及び第二スライドレールアセンブリの第二レールはそれぞれ第一補助部材及び第二補助部材に接続され、第一補助部材及び第二補助部材は、それぞれ前記第一スライドレールアセンブリの第一レール及び第二スライドレールアセンブリの第一レールより高く配置されている。第一ケーブル管理装置の第二アーム部は第一シャフト部材を介して第一ケーブル管理装置の第一アーム部に対して枢結される。第一ケーブル管理装置の第二アーム部は第一補助部材に接続される。第二ケーブル管理装置の第四アーム部は第二シャフト部材を介して第二ケーブル管理装置の第三アーム部に対して枢結される。第二ケーブル管理装置の第四アーム部は第二補助部材に接続される。
【００１３】
第一ケーブル管理装置の第一アーム部と第二アーム部のうちの一方には、ケーブル管理要素が配置されている。
【００１４】
第二ケーブル管理装置の第一アーム部と第二アーム部のうちの一方には、ケーブル管理要素が配置されている。
【００１５】
第一スライドレールアセンブリの第一レールには第一取り付け部材が配置されている。少なくとも１つの支持部材の第二端部は第二取り付け部材を介して第一取り付け部材に脱着可能に取り付けられる。
【００１６】
少なくとも１つの支持部材は、第一支持部材と、第一支持部材に伸縮自在に接続された第二支持部材とを含む。第一支持部材は第一端部を有し、第二支持部材は第二端部を有する。
【００１７】
本発明の他の実施形態によれば、第一スライドレールアセンブリ及び第二スライドレールアセンブリに適するケーブル管理アセンブリである。スライドレールアセンブリのそれぞれは、第一レールと第一レールに対して可動な第二レールとを含む。ケーブル管理アセンブリは第一ケーブル管理装置と、第二ケーブル管理装置と、少なくとも１つの支持部材とを含む。第一ケーブル管理装置は、第一スライドレールアセンブリの第一レール及び第二レールそれぞれに対して枢動可能な２つのアーム部を備える。第二ケーブル管理装置は、第二スライドレールアセンブリの第一レール及び第二レールそれぞれに対して枢動可能な２つのアーム部を備える。少なくとも１つの支持部材は第一端部と第二端部とを含む。第一端部は第二スライドレールアセンブリの第一レールに対して枢結される。第二端部は第一スライドレールアセンブリの第一レールに脱着可能に接続される。少なくとも１つの支持部材の第二端部が第一スライドレールアセンブリの第一レールに接続されると、少なくとも１つの支持部材は第一ケーブル管理装置及び第二ケーブル管理装置をブロックし、第一ケーブル管理装置及び第二ケーブル管理装置は、第一スライドレールアセンブリ及び第二スライドレールアセンブリの後方空間を閉めることができる。また、少なくとも１つの支持部材の第二端部が第一スライドレールアセンブリの第一レールから取り外されると、少なくとも１つの支持部材は第一端部を介して枢動して一つの角度で旋回し、少なくとも１つの支持部材が第一ケーブル管理装置及び第二ケーブル管理装置をブロックしなくなり、第一ケーブル管理装置及び第二ケーブル管理装置が枢動して第一スライドレールアセンブリ及び第二スライドレールアセンブリの後方空間を開くことができる。
【００１８】
本発明の他の実施形態によれば、第一スライドレールアセンブリ及び第二スライドレールアセンブリに適するケーブル管理アセンブリである。各スライドレールアセンブリのそれぞれは、第一レールと第一レールに対して可動な第二レールとを含む。第二レールは搭載物を搭載し、搭載物は物品を収容するための空間を有する。ケーブル管理アセンブリは第一ケーブル管理装置及び少なくとも１つの支持部材を含む。第一ケーブル管理装置は第一アーム部と第二アーム部とを備える。第一アーム部は第一スライドレールアセンブリの第一レールに対して枢結される。第二アーム部は第一スライドレールアセンブリの第二レールに対して枢結される。少なくとも１つの支持部材は第一端部と第二端部とを含む。第一端部は第二スライドレールアセンブリの第一レールに対して枢結される。第二端部は第一スライドレールアセンブリの第一レールに脱着可能に接続される。少なくとも１つの支持部材の第二端部が第一スライドレールアセンブリの第一レールに接続されると、少なくとも１つの支持部材は、物品が搭載物に対して第一及び第二スライドレールアセンブリの後部から取り外されることを防ぐために、第一ケーブル管理装置をブロックする。また、少なくとも１つの支持部材の第二端部が第一スライドレールアセンブリの第一レールから取り外されると、少なくとも１つの支持部材は第一端部を介して枢動して一つの角度で旋回し、少なくとも１つの支持部材が第一ケーブル管理装置をブロックしなくなり、物品が搭載物に対して第一及び第二スライドレールアセンブリの後部から取り外されることができる。
【図面の簡単な説明】
【００１９】
【図１】図１は、ラックシステムに適用された本発明の一実施形態によるケーブル管理アセンブリを示す図である。
【図２】図２は、本発明の一実施形態によるケーブル管理アセンブリ及びラックに取り付けられたスライドレールアセンブリを示す分解図である。
【図３】図３は、一方の視点から見た本発明の一実施形態によるケーブル管理アッセンブリ及びラックに取り付けられたスライドレールアッセンブリの組み合わせを示す図である。
【図４】図４は、他方の視点から見た本発明の一実施形態によるケーブル管理アッセンブリ及びラックに取り付けられたスライドレールアッセンブリの組み合わせを示す図である。
【図５】図５は、本発明の一実施形態によるケーブル管理アセンブリはラックのスライドレールアセンブリに取り付けられ、且つケーブル管理アセンブリの支持部材の１つの端部がスライドレールから取り外されることを示す図である。
【図６】図６は、本発明の一実施形態によるケーブル管理アセンブリはラックのスライドレールアセンブリに取り付けられ、且つケーブル管理アセンブリの支持部材はケーブル管理装置に対して枢動して一つの角度で旋回し、搭載物の第１の所定の物品が一つの方向に沿って移動できることを示す図である。
【図７】図７は、本発明の一実施形態によるケーブル管理アセンブリはラックのスライドレールアセンブリに取り付けられ、且つケーブル管理アセンブリの支持部材は、ケーブル管理装置に対して枢動して一つの角度で旋回し、搭載物の第２の所定の物品が一つの方向に沿って移動できることを示す図である。
【図８】図８は、本発明の一実施形態によるスライドレールアセンブリが伸長状態であり、ケーブル管理アセンブリのケーブル管理装置は伸長状態であることを示す図である。
【発明を実施するための形態】
【００２０】
図１、図２及び図３に示すように、本発明の一実施形態のケーブル管理アセンブリ２０は、第一スライドレールアセンブリ２２及び第二スライドレールアセンブリ２４に適用可能である。第一スライドレールアセンブリ２２と第二スライドレールアセンブリ２４とは実質的に同じ構成を有する。ここで、第一スライドレールアセンブリ２２と第二スライドレールアセンブリ２４は、それぞれラック（ｒａｃｋ）の右側と左側に配置されている。さらに、第一スライドレールアセンブリ２２と第二スライドレールアセンブリ２４は両方とも、第一レール２６及び第二レール２８を含む。第一レール２６は、第一ブラケット３０（例えばフロントブラケット）及び第二ブラケット３２（例えばリアブラケット）を介してラックの第一ポスト３４ａ（例えばフロントポスト）及び第二ポスト３４ｂ（例えばリアポスト）に取り付けられることが可能である。第二レール２８は第一レール２６に対して長手方向に沿って可動であり、第二レール２８は搭載物３６（例えば電子装置、図１を参照する）を搭載することが可能である。搭載物３６は、少なくとも１つの電子部品、電源モジュール、放熱モジュール、または貯蔵モジュールなどを収容するための少なくとも１つの空間を含む。ここで、搭載物３６としては、第一上層物品３８ａ、第一下層物品３８ｂ、第二上層物品３８ｃ、第二下層物品３８ｄを例示することができる。一例として３８ａ、３８ｂ、３８ｃ、３８ｄはフィールド交換可能ユニット（Ｆｉｅｌｄ  ｒｅｐｌａｃｅａｂｌｅ  ｕｎｉｔ、ＦＲＵ）であるが、実際には搭載物３６が収容できる物品の数は制限されない。第１上層物品３８ａ及び第１下層物品３８ｂは、搭載物３６の空間の右半分に配置され、第２上層物品３８ｃ及び第２下層物品３８ｄは、搭載物３６の空間の左半分に配置されている。さらに、ケーブル管理アセンブリ２０は、第一ケーブル管理装置４０と少なくとも１つの支持部材４２とを含み、好ましくは、第二ケーブル管理装置４４をさらに含む。
【００２１】
第１ケーブル管理装置４０は、第一アーム部４６と第二アーム部４８とを含む。好ましくは、第一ケーブル管理装置４０の第一アーム部４６及び第二アーム部４８は少なくとも１つの第一ケーブル管理要素４９を備えている。少なくとも１つの第一ケーブル管理要素４９は、搭載物３６の後方にあるケーブルを配置または支持することができる。好ましくは、第一アーム部４６及び第二アーム部４８は両方とも第一端部５０ａ及び第二端部５０ｂを有する。
第一アーム部４６の第１端部５０ａと第二アーム部４８の第一端部５０ａとは互いに対して枢結されており、例えば、第一アーム部４６の第一端部５０ａは第一シャフト部材５１を介して第二アーム部４８の第一端部５０ａに枢結されている。一方、第一アーム部４６の第二端部５０ｂは第一対応部材５２に枢結されている。第一対応部材５２は、第一スライドレールアセンブリ２２の第一レール２６の後方にある第一接続部材５４に接続される（例えばプラグまたはスナップ等脱着可能な接続手段による）。第一アーム部４６の第二端部５０ｂは第一対応部材５２に枢結されているため、第一アーム部４６は第一スライドレールアセンブリ２２の第一レール２６に対して枢動可能である。第二アーム部４８の第二端部５０ｂは第二対応部材５６に枢結されている。第二対応部材５６は、第一スライドレールアセンブリ２２の第二レール２８の後方にある第一補助部材５８に接続される（例えばプラグまたはスナップ等脱着可能な接続手段による）。第一補助部材５８は、第一スライドレールアセンブリ２２の第１のレール２６より高く配置されている。第二アーム部４８の第二端部５０ｂは第二対応部材５６に枢結されているため、第二アーム部４８は第一スライドレールアセンブリ２２の第二レール２８に対して枢動可能である。
【００２２】
第二ケーブル管理装置４４は、第三アーム部６０と第四アーム部６２とを含む。好ましくは、第二ケーブル管理装置４４の第三アーム部６０及び第四アーム部６２は少なくとも１つの第二ケーブル管理要素６３を備えている。少なくとも１つの第二ケーブル管理要素６３は、搭載物３６の後方にあるケーブルを配置または支持することができる。好ましくは、第三アーム部６０及び第四アーム部６２は両方とも第一端部６４ａ及び第二端部６４ｂを有する。第三アーム部６０の第一端部６４ａと第四アーム部６２の第一端部６４ａとは互いに対して枢結されており、例えば、第三アーム部６０の第一端部６４ａは第二シャフト部材６５を介して第四アーム部６２の第一端部６４ａに枢結されている。一方、第三アーム部６０の第二端部６４ｂは第三対応部材６６に枢結されている。第三対応部材６６は、第二スライドレールアセンブリ２４の第一レール２６の後方にある第二接続部材６８に接続される（例えばプラグまたはスナップ等脱着可能な接続手段による）。第三アーム部６０の第二端部６４ｂは第三対応部材６６に枢結されているため、第三アーム部６０は第二スライドレールアセンブリ２４の第一レール２６に対して枢動可能である。第四アーム部６２の第二端部６４ｂは第四対応部材７０に枢結されている。第四対応部材７０は、第二スライドレールアセンブリ２４の第二レール２８の後方にある第二補助部材７２に接続される（例えばプラグまたはスナップ等脱着可能な接続手段による）。第二補助部材７２は、第二スライドレールアセンブリ２４の第１のレール２６より高く配置されている。第四アーム部６２の第二端部６４ｂは第四対応部材７０に枢結されているため、第四アーム部６２は第二スライドレールアセンブリ２４の第二レール２８に対して枢動可能である。
【００２３】
少なくとも１つの支持部材４２は、第一端部Ｅ１と第二端部Ｅ２とを含む。第一端部Ｅ１は第二スライドレールアセンブリ２４の第一レール２６に枢結されており、第二端部Ｅ２は第一スライドレールアセンブリ２２の第一レール２６に脱着可能に接続されている。具体的には、第一端部Ｅ１及び第二端部Ｅ２は、それぞれ枢結部材７３を介して第一接続ベース７４及び第二接続ベース７６に枢結されている（第一端部Ｅ１と第一接続ベース７４を枢結する枢結部材は、視野角の関係上表示されていない）。第一接続ベース７４は、第二スライドレールアセンブリ２４の第一レール２６の後部にある第三接続部材７８に接続することができる（例えばプラグまたはスナップ等脱着可能な接続手段による）。好ましくは、第三接続部材７８と第二接続部材６８とは互いに間隔をあけている。一方、第一スライドレールアセンブリ２２の第一レール２６の後部には第一取り付け部材８０が配置されている。少なくとも一つの支持部材４２の第二端部Ｅ２に配置された第二接続ベース７６は、第二取り付け部材８２を介して第一取り付け部材８０に対して着脱可能に取り付けられる。例えば、第一取り付け部材８０及び第二取り付け部材８２は、プラグまたはスナップ等の接続手段によって互いに対して脱着可能に取り付けることができる。好ましくは、第二接続ベース７６と第二取り付け部材８２とは互いに脱着可能な取り付け関係である。好ましくは、第一取り付け部材８０と第一接続部材５４とは互いに間隔をあけている。好ましくは、少なくとも１つの支持部材４２は、例えば第一支持部材４２ａと第一支持部材４２ａに伸縮自在に接続された第二支持部材４２ｂとを含むように構成されるが、支持部材の数は限定されない。第一支持部材４２ａは第一端部Ｅ１を有し、第二支持部材４２ｂは第二端部Ｅ２を有する。
【００２４】
第一ケーブル管理装置４０及び第二ケーブル管理装置４４が互いに接近すると、それぞれの横方向の長さは、少なくとも１つの支持部材４２の長さの約半分未満であることに留意されたい。即ち、第一ケーブル管理装置４０と第二ケーブル管理装置４４が格納状態である時、第一ケーブル管理装置４０と第二ケーブル管理装置４４の横方向に対応する端部との間には、間隔が空いている。そうすると、第一ケーブル管理装置４０及び第二ケーブル管理装置４４によってケーブルを整理する際に、巻線の曲げ半径を小さくすることができ、ケーブルの整理が容易にできる。
【００２５】
図４に示すように、第一ケーブル管理装置４０の第一アーム部４６と第二アーム部４８のうちの一方には、第一ブロック要素８４が配置されている。例えば、第一ブロック要素８４が第一アーム部４６に配置される場合、第一ブロック要素８４は第一アーム部４６に一体化されてもよく、または第一ブロック要素８４は追加の部品として第一アーム部４６に固定されてもよい。好ましくは、第二ケーブル管理装置４４の第三アーム部６０と第四アーム部６２とのうちの一方には、第二ブロック要素８６が配置されている。例えば、第二ブロック要素８６は第三アーム部６０に配置される場合、第二ブロック要素８６は第三アーム部６０に一体化されてもよく、または第二ブロック要素８６は追加の部品として第三アーム部６０に固定されてもよい。
【００２６】
第一スライドレールアセンブリ２２の第二レール２８が第一レール２６に対して格納位置Ｐ１にあるとき、第一アーム部４６と第二アーム部４８とは互いに接近した状態である。少なくとも１つの支持部材４２の第二端部Ｅ２が第一スライドレールアセンブリ２２の第一レール２６に接続されると、少なくとも１つの支持部材４２は第一ケーブル管理装置４０をブロックするために第一ブロック要素８４をブロックする。好ましくは、第二スライドレールアセンブリ２４の第二レール２８が第一レール２６に対して格納位置にあるとき、第三アーム部６０と第四アーム部６２とは互いに接近した状態である。少なくとも１つの支持部材４２は第二ケーブル管理装置４４をブロックするために第二ブロック要素８６をブロックする。すると、第一ケーブル管理装置４０及び第二ケーブル管理装置４４は、第一スライドレールアセンブリ２２及び第二スライドレールアセンブリ２４の後方空間を閉める。また、第一アーム部４６と第二アーム部４８とが互いに接近した状態であるとき、少なくとも１つの支持部材４２が第一ケーブル管理装置４０を支持する。例えば第一ケーブル管理装置４０の底部を支持する。また、第三アーム部６０と第四アーム部６２とが互いに接近した状態であるとき、少なくとも１つの支持部材４２が第二ケーブル管理装置４４を支持する。例えば第二ケーブル管理装置４４の底部を支持する。
【００２７】
少なくとも１つの支持部材４２が第一ブロック要素８４をブロックするときに、第一上層物品３８ａまたは第一下層物品３８ｂは第一ケーブル管理装置４０によってブロックされるため、搭載物３６に対して第一スライドレールアセンブリ２２及び第二スライドレールアセンブリ２４の後部空間から取り外されることができない（この部分は図１と併せて参考する）。同じように、少なくとも１つの支持部材４２が第二ブロック要素８６をブロックするときに、第二上層物品３８ｃまたは第二下層物品３８ｄは第二ケーブル管理装置４４によってブロックされるため、搭載物３６に対して第一スライドレールアセンブリ２２及び第二スライドレールアセンブリ２４の後部空間から取り外されることができない（この部分は図１と併せて参考する）。
【００２８】
図５及び図６に示すように、少なくとも１つの支持部材４２の第二端部Ｅ２が第一スライドレールアセンブリ２２の第一レール２６から取り外される時に、少なくとも１つの支持部材４２は第一端部Ｅ１を介して枢動して後方へ旋回することができ、少なくとも１つの支持部材４２は第一ブロック要素８４（及び第二ブロック要素８６）をブロックしなくなるため、第一ケーブル管理装置４０（及び第二ケーブル管理装置４４）は枢動して後方へ旋回し、第一スライドレールアセンブリ２２及び第二スライドレールアセンブリ２４の後部空間を開くことができる。この実施形態では、少なくとも１つの支持部材４２の第二端部Ｅ２は、第二接続ベース７６を介して第二取り付け部材８２から取り外されることにより、少なくとも１つの支持部材４２の第二端部Ｅ２は第一スライドレールアセンブリ２２の第一レール２６から取り外されることができる。例えば、第二接続ベース７６は、第二取り付け部材８２の空間９０に取り付けることができる嵌合部材８８（または突起物）を備えて配置されている。好ましくは、可撓性部材９２（例えば、板バネ）は、第二取り付け部材８２及び第二接続ベース７６のうちの１つに操作可能に接続される（例えば、可撓性部材９２は、第二取り付け部材８２に操作可能に接続される）。可撓性部材９２がロック位置にある時、嵌合部材８８は空間９０内にブロックされる。そして、可撓性部材９２はロック解除位置に移動するように操作されると（図５に示すように）、嵌合部材８８は空間９０から取り外され、少なくとも１つの支持部材４２の第二端部Ｅ２は第二接続ベース７６を介して第二取り付け部材８２から取り外されることができる。これにより、少なくとも１つの支持部材４２の第二端部Ｅ２は第一スライドレールアセンブリ２２の第一レール２６から取り外されることができる。または少なくとも１つの支持部材４２の第二端部Ｅ２は第二取り付け部材８２を介して第一取り付け部材８０から取り外されることができる。これにより、少なくとも１つの支持部材４２の第二端部Ｅ２は第一スライドレールアセンブリ２２の第一レール２６から取り外されることが可能である。
【００２９】
図６に示すように、少なくとも１つの支持部材４２が第一端部Ｅ１を介して枢動して後方へ約９０度旋回され、そして第一ケーブル管理装置４０が枢動して後方へ約９０度旋回されると、第一上層物品３８ａ及び第一下層物品３８ｂは第一ケーブル管理装置４０によってブロックされなくなり、第一上層物品３８ａ及び第一下層物品３８ｂは搭載物３６に対して後部方向Ｄに移動且つ取り外されることが可能である。
【００３０】
図６及び図７に示すように、少なくとも１つの支持部材４２が第一端部Ｅ１を介して枢動して後方へ約９０度旋回され、そして第二ケーブル管理装置４４が枢動して後方へ約９０度旋回されると、第二上層物品３８ｃ及び第二下層物品３８ｄは第二ケーブル管理装置４４によってブロックされなくなり、第二上層物品３８ｃ及び第二下層物品３８ｄは搭載物３６に対して後部方向Ｄに移動且つ取り外されることが可能である。
【００３１】
図１及び図８に示すように、搭載物３６が２つのスライドレールアセンブリ２２、２４の第二レール２８を介して第一レール２６に対して格納位置Ｐ１から前方（例えば、後部方向Ｄの反対方向）に沿って伸長位置Ｐ２に移動されると、第１ケーブル管理装置４０の第一アーム部４６と第二アーム部４８とが互いに伸長した状態であり、第２ケーブル管理装置４４の第三アーム部６０と第四アーム部６２とも互いに伸長した状態である。
【００３２】
上述の実施形態から分かるように、本発明の実施形態のケーブル管理アセンブリは以下の特徴を含む。
１．少なくとも１つの支持部材４２の第一端部Ｅ１は第二スライドレールアセンブリ２４の第一レール２６に対して枢結されており、第二端部Ｅ２は第一スライドレールアセンブリ２２の第一レール２６に脱着可能に接続されている。
２．少なくとも１つの支持部材４２は、第一ケーブル管理装置４０（及び第二ケーブル管理装置４４）をブロックすることができる。少なくとも１つの支持部材４２の第二端部Ｅ２が第一スライドレールアセンブリ２２の第一レール２６から取り外されると、少なくとも１つの支持部材４２は、第１の端部Ｅ１を介して枢動して一つの角度で旋回し、物品（３８ａ、３８ｂ、３８ｃ、３８ｄ）が搭載物３６に対して所定の方向（例えば、後方）に移動且つ取り外されることが可能である。
３．第一ケーブル管理装置４０（及び第二ケーブル管理装置４４）の２つのアーム部が互いに接近した状態であるとき、少なくとも１つの支持部材４２が第一ケーブル管理装置４０（及び第二ケーブル管理装置４４）の底部を支持することができる。
【００３３】
前述において本発明の実施形態を開示したが、これらは本発明を限定するものではなく、本発明によって保護される範囲は特許請求の範囲を基準とする。
【符号の説明】
【００３４】
２０  ケーブル管理アセンブリ
２２  第一スライドレールアセンブリ
２４  第二スライドレールアセンブリ
２６  第一レール
２８  第二レール
３０  第一ブラケット
３２  第二ブラケット
３４ａ  第一ポスト
３４ｂ  第二ポスト
３６  搭載物
３８ａ  第一上層物品
３８ｂ  第一下層物品
３８ｃ  第二上層物品
３８ｄ  第二下層物品
４０  第一ケーブル管理装置
４２  支持部材
４２ａ  第一支持部材
４２ｂ  第二支持部材
４４  第二ケーブル管理装置
４６  第一アーム部
４８  第二アーム部
４９  第一ケーブル管理要素
５１  第一シャフト部材
５２  第一対応部材
５４  第一接続部材
５６  第二対応部材
５８  第一補助部材
６０  第三アーム部
６２  第四アーム部
６３  第二ケーブル管理要素
６５  第二シャフト部材
６６  第三対応部材
６８  第二接続部材
７０  第四対応部材
７２  第二補助部材
７３  枢結部材
７４  第一接続ベース
７６  第二接続ベース
７８  第三接続部材
８０  第一取り付け部材
８２  第二取り付け部材
８４  第一ブロック要素
８６      第二ブロック要素
８８      嵌合部材
９０      空間
９２      可撓性部材
Ｄ      後部方向  
Ｅ１      第一端部
Ｅ２      第二端部
Ｐ１      格納位置
Ｐ２      伸長位置
【図１】
2020081839.tif 000003
【図２】
2020081839.tif 000004
【図３】
2020081839.tif 000005
【図４】
2020081839.tif 000006
【図５】
2020081839.tif 000007
【図６】
2020081839.tif 000008
【図７】
2020081839.tif 000009
【図８】
2020081839.tif 000010